(57)【要約】【課題】  サブシートの収納性を良好に維持しつつ、より多彩なシートアレンジを実現する。【解決手段】  車幅方向に離間して設けられた左右一対のメインシート６，７の間にサブシート８が配設されてなる車両用シート装置において、前記一対のメインシート６，７を所定方向に移動可能に支持し、前記サブシート８を、サブシートクッション８１及びサブシートバック８２の両部材が前記メインシート６，７の間の使用位置に配設されるサブシート使用状態と、前記両部材が前記メインシート６，７のうち少なくとも一方の下方に収納されるサブシート収納状態との間で変位可能に構成し、当該サブシート収納状態においては、前記サブシート８を前記メインシート６，７と一体に移動可能な状態で収納する。【選択図】    図２
2007062594.tif 000002
【特許請求の範囲】
【請求項１】
車幅方向に離間して設けられた左右一対のメインシートの間にサブシートが配設されてなる車両用シート装置であって、
前記一対のメインシートは、それぞれがメインシートクッションとメインシートバックとを有するとともに、所定方向に移動可能に支持されており、
前記サブシートは、サブシートクッションとサブシートバックとを有するとともに、当該サブシートクッション及びサブシートバックの両部材が前記一対のメインシート間の使用位置に配設されるサブシート使用状態と、前記両部材が前記一対のメインシートのうち少なくとも一方の下方に収納されるサブシート収納状態との間で変位可能に構成されており、当該サブシート収納状態にあっては、前記メインシートと一体に移動可能な状態で収納されることを特徴とする車両用シート装置。
【請求項２】
請求項１記載の車両用シート装置において、
前記サブシートは、前記サブシートクッションが前記一対のメインシートのうちいずれか一方の下方に収納され、前記サブシートバックが前記メインシートの他方の下方に収納されるように構成されていることを特徴とする車両用シート装置。
【請求項３】
請求項２記載の車両用シート装置において、
前記一方のメインシートには、その下方に設けられた収納部に前記サブシートクッションを収納した状態でこれを前記一方のメインシートと一体に移動させるように支持する支持部材が設けられていることを特徴とする車両用シート装置。
【請求項４】
請求項２又は３記載の車両用シート装置において、
前記他方のメインシートには、その下方に設けられた収納部に前記サブシートバックを収納した状態でこれを前記他方のメインシートと一体に移動させるように支持する支持部材が設けられていることを特徴とする車両用シート装置。
【請求項５】
請求項１〜４のいずれか１項に記載の車両用シート装置において、
前記一対のメインシートは、車両前後方向に移動可能に支持されていることを特徴とする車両用シート装置。
【請求項６】
請求項１〜５のいずれか１項に記載の車両用シート装置において、
前記一対のメインシートは、車幅方向に移動可能に支持されていることを特徴とする車両用シート装置。
【請求項７】
請求項１〜４のいずれか１項に記載の車両用シート装置において、
前記一対のメインシートは、車両前後方向及び車幅方向の両方向に移動可能に支持されているとともに前席シート列と後輪用ホイールハウスの張出し部との間に位置するシート列として配設されており、前記サブシート収納状態において互いに接近するように車幅方向内側にスライドした状態において、前記ホイールハウスの張出し部を避けて車両の後方側にスライド可能となっていることを特徴とする車両用シート装置。
【発明の詳細な説明】
【技術分野】
【０００１】
本発明は、メインシートとサブシートとを有して車両に配設される車両用シート装置に関する。
【背景技術】
【０００２】
従来から、車両用シート装置においては、乗車人数に応じてシートアレンジを変更できるようにするために、常設されるメインシート以外に、収納可能に構成された比較的小型のサブシートを設けることが行われている。
【０００３】
例えば、下記特許文献１では、メインシートの側方にサブシートが配設されてなる車両用シート装置において、前記サブシートのシートクッション及びシートバックの両方を同一のメインシートの下方に変位させ得るように支持する揺動機構を車体フロア上に設けることにより、前記サブシートを収納することが行われている。
【特許文献１】特開平９−２１１３号公報
【発明の開示】
【発明が解決しようとする課題】
【０００４】
ここで、前記特許文献１記載の車両用シート装置に、さらに所定方向にシートを移動させる機能を付加すれば、シートをより多彩にアレンジすることが可能となる。しかしながら、前記特許文献１記載の車両用シート装置において例えばメインシートを移動可能に構成すれば、前記揺動機構を介して車体フロア上に支持されるサブシートと前記メインシートとの相対位置がメインシートの移動によってずれることとなり、サブシートをメインシート下方の適正な収納位置に収納することができなくなる。このように、収納可能なサブシートを有する車両用シート装置を移動可能に構成する場合には、サブシートの収納性も併せて考慮する必要がある。
【０００５】
本発明は、このような事情に鑑みてなされたものであり、サブシートの収納性を良好に維持しつつ、より多彩なシートアレンジを実現することのできる車両用シート装置を提供することを目的とする。
【課題を解決するための手段】
【０００６】
上記課題を解決するためのものとして、本発明は、車幅方向に離間して設けられた左右一対のメインシートの間にサブシートが配設されてなる車両用シート装置であって、前記一対のメインシートは、それぞれがメインシートクッションとメインシートバックとを有するとともに、所定方向に移動可能に支持されており、前記サブシートは、サブシートクッションとサブシートバックとを有するとともに、当該サブシートクッション及びサブシートバックの両部材が前記一対のメインシート間の使用位置に配設されるサブシート使用状態と、前記両部材が前記一対のメインシートのうち少なくとも一方の下方に収納されるサブシート収納状態との間で変位可能に構成されており、当該サブシート収納状態にあっては、前記メインシートと一体に移動可能な状態で収納されることを特徴とするものである（請求項１）。
【０００７】
この車両用シート装置によれば、所定方向に移動可能に支持された左右一対のメインシートの間に配設されるサブシートが、サブシート使用状態とサブシート収納状態との間で変位可能に構成されていることにより、サブシートを選択的に使用又は収納できる上にメインシートを必要に応じて移動させることができるため、より多彩なシートアレンジを実現することができる。しかもサブシート収納状態にあっては、サブシートを構成するサブシートクッション及びサブシートバックの両部材が、メインシートの下方に収納されたまま当該メインシートに追従して移動するようになっているため、サブシートを常にメインシートの下方の適正な収納位置に収納できるとともに、これらを同時に所定の位置に移動させることができる。
【０００８】
前記サブシートは、前記サブシートクッションが前記一対のメインシートのうちいずれか一方の下方に収納され、前記サブシートバックが前記メインシートの他方の下方に収納されるように構成されていることが好ましい（請求項２）。
【０００９】
この構成によれば、サブシートクッションとサブシートバックとがそれぞれ別のメインシートの下方に収納されることにより、これら両部材が同一のメインシートの下方に収納される場合に比べて、メインシート下方の収納空間が小さい容積で済むことになるため、メインシートの着座ポイントが高くなることに起因した座り心地の悪化等を抑制することができる。
【００１０】
ここで、前記サブシートクッションを前記一方のメインシートと一体に移動可能な状態で収納するための具体的手段は特に問わないが、例えば、前記一方のメインシートの下方に設けられた収納部に前記サブシートクッションを収納した状態でこれを前記一方のメインシートと一体に移動させるように支持する支持部材を設けるとよい（請求項３）。
【００１１】
同様に、前記他方のメインシートの下方に設けられた収納部に前記サブシートバックを収納した状態でこれを前記他方のメインシートと一体に移動させるように支持する支持部材を設ければ、前記サブシートバックを前記他方のメインシートと一体に移動可能な状態で収納することができる（請求項４）。
【００１２】
前記一対のメインシートは、車両前後方向に移動可能に支持されていてもよいし、車幅方向に移動可能に支持されていてもよい（請求項５，６）。
【００１３】
また、前記一対のメインシートが、車両前後方向及び車幅方向の両方向に移動可能に支持されているとともに前席シート列と後輪用ホイールハウスの張出し部との間に位置するシート列として配設されている場合には、前記一対のメインシートは、前記サブシート収納状態において互いに接近するように車幅方向内側にスライドした状態において、前記ホイールハウスの張出し部を避けて車両の後方側にスライド可能となっていることが好ましい（請求項７）。
【００１４】
この構成によれば、一対のメインシートをホイールハウスの張出し部を避けて後方に大きくスライドさせることができるため、前席シート列との間に広大なスペースを形成することができ、車室内空間の有効活用を図ることができる。
【発明の効果】
【００１５】
以上説明したように、本発明によれば、サブシートの収納性を良好に維持しつつ、より多彩なシートアレンジを実現することができる。
【発明を実施するための最良の形態】
【００１６】
以下、本発明の好ましい実施の形態を図面を参照しながら説明する。
【００１７】
図１は、本実施形態の車両用シート装置が採用された車両１０の室内を示す平面図である。本図に示すように、車両１０の室内には、最前方に位置するシート列であって運転席４と助手席５とからなる前席シート列１と、最後方に位置するシート列であって一体型のシートクッション及びシートバックを有する（いわゆるベンチシート型の）後席シート列３と、これら前席シート列１と後席シート列３との間に位置する中間シート列２とが配設されている。なお、車室内において後席シート列３の両側に存在する符号１２で示す部材は、後輪用ホイールハウスの張出し部である。
【００１８】
図２（ａ）は、前記中間シート列２を示す斜視図であり、本発明にかかる車両用シート装置の一実施形態を示す斜視図である。本図及び先の図１に示すように、中間シート列２は、車幅方向に離間して設けられた左右一対のメインシート６，７の間にサブシート８が配設されることによって構成されている。なお、本明細書では以後、前記一対のメインシート６，７のうち、車両前方を向いて右側にあたるメインシート６を特定して指すときは「右メインシート６」と、車両前方を向いて左側にあたるメインシート７を特定して指すときは「左メインシート７」と呼ぶものとする。また、本明細書における「左」「右」は、常に、車両前方を向いたときの左右で表すものとする。
【００１９】
前記右メインシート６は、図２（ａ）に示すように、ヘッドレスト６２ａ及び左右一対のアームレスト６２ｂ，ｃを有するメインシートバック６２と、メインシートクッション６１と、このメインシートクッション６１を支持する座台６３とから構成されている。前記アームレスト６２ｂ，ｃは、その一端がメインシートバック６２の両側面に枢支されることにより、他端が前方に突出したアームレスト使用状態（車幅方向外側のアームレスト６２ｂ参照）と、メインシートバック６２の側面に沿って起立するアームレスト収納状態（車幅方向内側のアームレスト６２ｃ参照）との間で変位可能に構成されている。
【００２０】
同様に、前記左メインシート７は、ヘッドレスト７２ａ及び左右一対のアームレスト７２ｂ，ｃを有するメインシートバック７２と、メインシートクッション７１と、このメインシートクッション７１を支持する座台７３とから構成されている。
【００２１】
次いで、前記メインシート６，７の座台６３，７３の構造を図３に示す。本図に示すように、座台６３，７３は、車両前後方向に延びる左右一対の縦ガイドレール２０にスライド可能に係合される座台下部２４と、前記メインシートクッション６１，７１の下面に固定される座台上部２２と、これら座台上部２２と座台下部２４との間に介在する前後一対のガイドレールであってこれら両部材を車幅方向に相対変位可能な状態で接続する横ガイドレール２６とから構成されている。なお、前記縦ガイドレール２０は車体フロアに埋め込まれており、乗員が車体フロア上を歩くときに邪魔になることがないようになっている。
【００２２】
そして、座台６３，７３がこのような構造を有することにより、これに支持されるメインシート６，７は、車両前後方向と車幅方向とにそれぞれスライド可能に構成されている。すなわち、座台下部２４が縦ガイドレール２０に沿って前後移動すれば、メインシート６，７が車両前後方向にスライドし、横ガイドレール２６に係合された座台上部２２が座台下部２４に対して左右に相対変位すれば、メインシート６，７が車幅方向にスライドする。
【００２３】
再び図２（ａ）に戻って、前記サブシート８は、ヘッドレスト８２ａを有するサブシートバック８２と、このサブシートバック８２とは独立した別部材によって構成されたサブシートクッション８１とを備えている。そして、これらサブシートクッション８１とサブシートバック８２との分割面（図中の矢印Ａ）は、前記サブシートクッション８１の座面よりも少し高い位置に設定されている。このため、サブシートクッション８１は、前記メインシートクッション６１，７１に略平行に配設されるクッション本体８１ａと、このクッション本体８１ａの後端部から前記メインシートバック６２，７２に沿って立ち上がる比較的背の低い立ち上がり部８１ｂとから構成されており、この立ち上がり部８１ｂが、前記サブシートバック８２と略連続した背もたれ面を形成するようになっている。
【００２４】
このサブシート８は、前記メインシート６，７の下方に収納可能に構成されている。具体的には、図２（ｂ）に示すように、サブシートクッション８１が左メインシート７の座台７３の内部（図３に示す座台上部２２の下に形成されたスペース内）に収納されるとともに、サブシートバック８２が右メインシート６の座台６３の内部に収納されるようになっている。このことから、サブシート８は、サブシートクッション８１とサブシートバック８２とがそれぞれ別々にメインシート６，７の下方に収納されるサブシート収納状態（図２（ｂ）の状態）と、当該サブシートクッション８１とサブシートバック８２とがそれぞれメインシート６，７の間の使用位置に配設されるサブシート使用状態（図２（ａ）の状態）との間で変位可能に構成されている。なお図例では、サブシートクッション８１が左メインシート７の座台７３の内部に収納され、サブシートバック８２が右メインシート６の座台６３の内部に収納されているが、この収納位置は逆でもよい。
【００２５】
次いで、前記サブシートクッション８１及びサブシートバック８２の各々について詳細に説明する。
【００２６】
まず、前記サブシートバック８２について説明する。図４は、前記サブシートバック８２を、前記右メインシート６の座台６３内の収納位置（図２（ｂ）参照）とその上方の使用位置（図２（ａ）参照）との間で変位可能に支持するための機構を示した図である。この図４に示すように、サブシートバック８２は、右メインシート６の座台６３内に固定された（より詳しくは、図３に示す座台上部２２の下面部に固定された）筒状ガイド３２と、この筒状ガイド３２に挿入されるロッド３４とから構成されたサブシートバック用回転スライド機構３０を介して、車幅方向にスライド可能でかつ前記筒状ガイド３２の軸心を中心として回転可能な状態で右メインシート６に支持されている。図４（ａ）では、このサブシートバック用回転スライド機構３０によってガイドされながらサブシートバック８２が座台６３の内部から引き出された状態を示している。なお、当該サブシートバック８２の引き出し作業は、図３に示した座台６３において、座台上部２２と座台下部２４との間に形成された隙間を通して行うことが可能である。このことは、後述するサブシートクッション８１を座台７３から引き出す作業を行うときも同様である。
【００２７】
前記サブシートバック８２は、さらに、その内部に設けられた２つの筒状部材３８と、前記ロッド３４から突設されてこの筒状部材３８に挿入される２本の支軸４０とから構成されたサブシートバック用スライド機構３６を介して、前記ロッド３４の径方向にスライド可能な状態で右メインシート６に支持されている。図４（ｂ）では、このサブシートバック用スライド機構３６によってガイドされながら、サブシートバック８２がロッド３４の径方向外側に引っ張られた状態を示している。なお、前記支軸４０は、前記筒状部材３８よりわずかに小さい径を有する大径部４０ｂとこの大径部４０ｂよりも小さい径を有して前記ロッド３４に固定される小径部４０ａとから構成されており、この支軸４０の小径部４０ａを挿通するための切欠き部３２ａが、前記サブシートバック用回転スライド機構３０の筒状ガイド３２に形成されている。
【００２８】
図５は、前記サブシートバック８２の背面部の形状を示した斜視図である。本図に示すように、サブシートバック８２の背面部には、２つの凹部８２ｂが形成されている。この凹部８２ｂは、サブシートバック８２が前記メインシートバック６２，７２の間の使用位置に配設されるサブシート使用状態（図２（ａ）の状態）において、メインシートバック６２，７２の車幅方向内側面に取り付けられたアームレスト６２ｃ，７２ｃを収容するためのものである。このようにサブシートバック８２の背面部に凹部８２ｂを設けておけば、サブシートバック８２（の背もたれ面）の幅寸法をメインシートバック６２，７２の間の隙間寸法と略同一にしても、サブシートバック８２の背面部がアームレスト６２ｃ，７２ｃと干渉するのを回避することができる。これにより、サブシートバック８２とメインシートバック６２，７２とで略連続した背もたれ面を形成するようにしながらも、サブシートバック８２を円滑に使用位置へ変位させ得るようになっている。
【００２９】
また図６は、前記サブシートバック８２を、前記メインシートバック６２，７２にロックするためのロック装置を示した模式図である。本図では、サブシートバック８２を右メインシート６側（メインシートバック６２）にロックするためのロック装置について説明するが、左メインシート７側についても同様である。
【００３０】
図６に示すロック装置１００は、メインシートバック６２の側面部に設けられた凹部１０８内に支持されるラッチ１０２と、サブシートバック８２の側面部に設けられた凹部１１０内に固定されたピン１０６とから構成されている。前記ラッチ１０２の一端側には、前記ピン１０６と係合する爪部１０２ａが形成されており、前記ラッチ１０２の他端側には、ラッチ軸１０２ｂが固定されている。このラッチ軸１０２ｂは、前記凹部１０８からメインシートバック６２の背面まで貫通する長孔１０４に嵌挿されている。そして、メインシートバック６２の背面には、ラッチ１０２を操作するための操作レバー（図示省略）が設けられており、この操作レバーは、前記ラッチ軸１０２ｂに直結している。従って、この操作レバーを操作すれば、前記ラッチ軸１０２ｂを回転させたり、前記長孔１０４に沿って左右方向にスライドさせたりすることができ、それによってラッチ１０２を図６（ａ）のアンロック状態から同図（ｃ）のロック状態に変位させることができる。具体的には、図６（ａ）に示すアンロック状態から、ラッチ１０２を回転させてサブシートバック８２側の凹部１１０内にラッチ１０２を挿入し（図６（ｂ））、さらにこれをメインシートバック６２側にスライドさせれば、ラッチ１０２の爪部１０２ａをピン１０６に係合させて、同図（ｃ）のロック状態に変位させることができる。なお、長孔１０４の左右両端部に縮径部を設けることにより、ラッチ１０２がロック位置又はアンロック位置で安定して保持されるようにしてもよい。
【００３１】
次に、前記サブシートクッション８１について説明する。図７は、前記サブシートクッション８１を、前記左メインシート７の座台７３内の収納位置（図２（ｂ）参照）とその上方の使用位置（図２（ａ）参照）との間で変位可能に支持するための機構を示した図である。本図に示すように、サブシートクッション８１は、左メインシート７の座台７３内に固定された（より詳しくは、図３に示す座台上部２２の下面部に固定された）筒状ガイド４４と、この筒状ガイド４４に挿入されるロッド４６とから構成されたサブシートクッション用回転スライド機構４２を介して、車幅方向にスライド可能でかつ前記筒状ガイド４４の軸心を中心として回転可能な状態で左メインシート７に支持されている。図７では、このサブシートクッション用回転スライド機構４２によってガイドされながらサブシートクッション８１が座台７３の内部から引き出された状態を示している。また、本図からも分かるように、サブシートクッション８１は、先の図２（ａ）（サブシート使用状態）でも示された立ち上がり部８１ｂがクッション本体８１ａに向かって倒伏するような状態に折り畳まれかつクッション本体８１ａの上下を裏返した状態で、前記座台７３の内部に収納されるようになっている。なお、クッション本体８１ａと立ち上がり部８１ｂとはヒンジ金具５５によって接続されており、それによってサブシートクッション８１が折り畳み可能に構成されている。
【００３２】
前記サブシートクッション８１は、さらに、そのクッション本体８１ａの裏面に固定された２本のガイドレール５２と、前記ロッド４６から突設されてこのガイドレール５２にスライド可能に係合される２つの係合部材５０とから構成されたサブシートクッション用スライド機構４８を介して、前記ロッド４６の接線方向にスライド可能な状態で左メインシート７に支持されている。なお、図面の都合上図示は省略するが、前記筒状ガイド４４には、前記係合部材５０を挿通するための切欠き部が、前記切欠き部３２ａ（図４）と同様に形成されている。
【００３３】
また、同じく図７に示すように、サブシートクッション８１の立ち上がり部８１ｂの裏面には、２つの凹部１８１ｂが形成されている。これは、サブシートクッション８１が前記メインシートクッション６１，７１の間に配設されるサブシート使用状態（図２（ａ）の状態）において、前記サブシートバック８２を支持する支軸４０（図４）が、立ち上がり部８１ｂの裏面と干渉するのを回避するためのものである。また、クッション本体８１ａの裏面には、サブシート使用状態において、前記サブシートバック８２を支持するロッド３４（図４）に係合される２つの爪部材５４が設けられている。
【００３４】
次に、以上のように構成されたサブシートクッション８１及びサブシートバック８２を、前記メインシート６，７の下方に収納された状態（サブシート収納状態）から、メインシート６，７の間に配設される状態（サブシート使用状態）へと変位させる手順について、図８，９に基づいて説明する。
【００３５】
まず、図８を用いて、サブシートバック８２を配設する手順について説明する。
【００３６】
初めに、前記メインシート６，７の車幅方向内側面に設けられているアームレスト６２ｃ，７２ｃを、メインシートバック６２，７２に沿うように跳ね上げておく（図８（ａ））。
【００３７】
次いで、前記右メインシート６の座台６３の内部に収納されているサブシートバック８２を車幅方向内側に引っ張る。これにより、前記サブシートバック用回転スライド機構３０（図４）によってガイドされながらサブシートバック８２が座台６３の外側（座台６３，７３の間）に引き出される。
【００３８】
次いで、サブシートバック８２を車両前方に引っ張る。これにより、前記サブシートバック用スライド機構３６（図４）によってよってガイドされながらサブシートバック８２が車両前方に向けて適宜の位置まで移動する（図８（ｂ））。
【００３９】
次いで、サブシートバック８２を斜め後方上向きに引っ張りあげる。これにより、前記サブシートバック用回転スライド機構３０（図４）のロッド３４を回転中心としてサブシートバック８２が立ち上がり、前記メインシートバック６２，７２の間に当該サブシートバック８２が配設される。このとき、サブシートバック８２の背面部に、前記のように凹部８２ｂが設けられていることにより、前記メインシートバック６２，７２の車幅方向内側面に設けられたアームレスト６２ｃ，７２ｃが当該凹部８２ｂに収容されることとなるため、アームレスト６２ｃ，７２ｃとサブシートバック８２との干渉が有効に回避される。そして、このようにサブシートバック８２の配設が完了した後で、図６に示したロック装置１００を操作することにより、サブシートバック８２を、メインシートバック６２，７２の間でロックする。
【００４０】
次に、図９を用いて、サブシートクッション８１を配設する手順について説明する。
【００４１】
まず、前記サブシートバック８２の配設作業が完了した後で（図９（ａ））、前記左メインシート７の座台７３の内部に収納されているサブシートクッション８１を車幅方向内側に引っ張る。これにより、前記サブシートクッション用回転スライド機構４２（図７）によってガイドされながらサブシートクッション８１が座台７３の外側（座台６３，７３の間）に引き出される。
【００４２】
次いで、サブシートクッション８１を車両前方に引っ張る。これにより、前記サブシートクッション用スライド機構４８（図７）によってガイドされながらサブシートクッション８１が車両前方に向けて適宜の位置まで移動する（図９（ｂ））。
【００４３】
次いで、サブシートクッション８１を斜め後方上向きに引っ張りあげる。これにより、前記サブシートクッション用回転スライド機構４２（図７）のロッド４６を回転中心としてサブシートクッション８１が反転し、前記メインシートクッション６１，７１の間に当該サブシートクッション８１が配設される。このとき、サブシートクッション８１のクッション本体８１ａの裏面に、前記のように爪部材５４が設けられていることにより、この爪部材５４が前記サブシートバック８２を支持するロッド３４に係合することとなるため、サブシートクッション８１はメインシートクッション６１，７１の間に安定して固定保持（ロック）される。なお、前記のように爪部材５４を前記ロッド３４に係合させるには、図９（ｂ）の時点でサブシートクッション８１を少し余計に車両前方にスライドさせておき、サブシートクッション８１を反転させてから、前記爪部材５４を係合させる方向にサブシートクッション８１を引き戻せばよい。
【００４４】
そして最後に、折り畳まれていたサブシートクッション８１の立ち上がり部８１ｂを立ち上げれば、サブシートクッション８１の配設が完了し、この結果、図２（ａ）に示したようなサブシート８が形成される。このとき、立ち上がり部８１ｂの裏面に、前記のように凹部１８１ｂ（図７）が形成されていることにより、前記サブシートバック８２を支持する支軸４０が当該凹部１８１ｂに収容されることとなるため、支軸４０と立ち上がり部８１ｂとの干渉が有効に回避される。なお、立ち上がり部８１ｂを前記メインシートバック６２，７２の間に安定して保持させるには、立ち上がり部８１ｂの幅寸法を前記メインシートバック６２，７２の間に形成される隙間寸法より若干大きくしておけばよい。そのようにすれば、立ち上がり部８１ｂを、メインシートバック６２，７２（通常、ウレタン等の柔らかい素材で構成される）の間に挟み込んで弾性変形させることにより、安定して保持することができる。
【００４５】
以上のような構成の中間シート列２を用いれば、サブシート８を収納状態と使用状態との間で自在に変位させることができるのはもちろんのこと、サブシート８を収納した後において、さらに多彩なシートアレンジを行うことも可能である。以下、サブシート８を収納した後のシートアレンジについて説明する。
【００４６】
図１０は、サブシート８を収納した状態（図２（ｂ）の状態）から、右メインシート６及び左メインシート７の両方を車幅方向内側にスライドさせて両者を接近させた場合、又は、前記右メインシート６及び左メインシート７のうちのどちらか片方のみをスライドさせて別の片方に接近させた場合の中間シート列２の状態を示した斜視図である。本図に示すように、右メインシート６と左メインシート７とを互いに接近させると、当該一対のメインシート６，７が略連続した座面を形成することとなるため、中間シート列２をいわゆるベンチシート風にアレンジすることができる。このとき、メインシート６，７と一体に移動する前記座台上部２２（図３）に、前記回転スライド機構３０，４２等（図４，図７）を介してサブシートクッション８１及びサブシートバック８２（図２）が支持されていることにより、サブシートクッション８１及びサブシートバック８２は、メインシート６，７の移動後においても、当該メインシート６，７の下方に収納された状態を維持することができる。なお本実施形態では、車幅方向内側のアームレスト６２ｃ，７２ｃが、各メインシートバック６２，７２の車幅方向側面よりも突出した状態で取り付けられているため、このアームレスト６２ｃ，７２ｃの厚みの分だけ、右メインシート６と左メインシート７との間に隙間が生じることとなるが、前記各メインシートバック６２，７２の車幅方向内側面に凹部を設け、その凹部に前記アームレスト６２ｃ，７２ｃを取り付けるようにすれば、アームレスト６２ｃ，７２ｃどうしが干渉しなくなるため、略完全なベンチシートを形成することが可能となる。
【００４７】
図１１（ａ）は、中間シート列２を前記のようにベンチシート風にアレンジしたときの車室内の状況を示している。本図に示すように、当該シートアレンジを行った場合は前記メインシート６，７どうしが接近するため、サブシート８を使用している場合（図１の状態）に比べて、車体１０の側壁とメインシート６，７との隙間が広がることになる。すると、中間シート列２の側方にあるリアドアから後席シート列３へ乗り込もうとする者は、当該拡大された隙間を通って容易に後席シート列３へ乗り込むことができるようになる（図示の矢印Ｂ）。従って、中間シート列２をベンチシート風にアレンジすれば、後席シート列３への乗降性を向上させることができる。なお、図１１（ａ）では、メインシート６，７の両方を車幅方向内側にスライドさせることによりこれらを車幅方向中央付近に集めた例を示したが、メインシート６，７のうちのどちらか片方のみをスライドさせることにより、中間シート列２を車幅方向片側に寄せることも当然に可能である。この場合、左メインシート７をスライドさせて右メインシート６に接近させれば、中間シート列２の左側にかなり広い隙間を形成することができるため、比較的頻繁に行われる歩道側からの（左リアドアからの）乗り込みを大幅に容易化することができる。
【００４８】
また、図１１（ａ）のように、前記メインシート６，７の両方を車幅方向内側にスライドさせて車幅方向中央付近に集めた場合は、中間シート列２の幅（メインシート６，７の合計幅）が、車室内に張り出した前記ホイールハウスの張出し部１２どうしに挟まれた領域内に収まることとなるため、メインシート６，７は、前記張出し部１２を避けて、図１１（ａ）の状態から大きく車両後方へスライドすることが可能となる。そのようにメインシート６，７をスライドさせた状況を図１１（ｂ）に示す。本図に示すように、メインシート６，７を前記張出し部１２を避けて後席シート列３の直近まで大きくスライドさせれば、前席シート列１と中間シート列２との間に広大なスペースを形成することができる。
【００４９】
ここで、メインシート６，７をこのように車両前後方向にスライドさせる際には、右メインシート６及び左メインシート７を、連動して一体的にスライドするように構成しておけば、ワンタッチで両者を同時に移動させることができて便利である。しかも、右メインシート６及び左メインシート７の前後方向相対位置が常に一致することとなるため、当該メインシート６，７の間にサブシート８を再度配設する際に、いちいちメインシート６，７の前後方向相対位置を合わせる必要がなくなるという利点もある。なお、右メインシート６及び左メインシート７を一体的に車両前後方向にスライドさせるためには、例えば、図３に示した右メインシート６の座台６３における座台下部２４と、左メインシート７の座台７３における座台下部２４とを、所定の連結部材によって一体に連結するように構成すればよい。
【００５０】
以上説明したように、本実施形態の車両用シート装置（中間シート列２）によれば、車両前後方向及び車幅方向に移動可能に支持された左右一対のメインシート６，７の間に配設されるサブシート８が、サブシート使用状態とサブシート収納状態との間で変位可能に構成されていることにより、サブシート８を選択的に使用又は収納できる上にメインシート６，７を必要に応じて移動させることができるため、より多彩なシートアレンジを実現することができる。しかもサブシート収納状態にあっては、サブシート８を構成するサブシートクッション８１及びサブシートバック８２の両部材が、メインシート６，７の下方に収納されたまま当該メインシート６，７に追従して移動するようになっているため、サブシート８を常にメインシート６，７下方の適正な収納位置に収納できるとともに、これらを同時に所定の位置に移動させることができる。
【００５１】
なお、本実施形態では、サブシートクッション８１及びサブシートバック８２を、メインシート６，７を支持しながらこれと一体に移動する座台６３，７３（の座台上部２２）に固定された回転スライド機構３０，４２とこれに連なるスライド機構３６，４８とによって支持することにより、前記座台６３，７３内にサブシートクッション８１及びサブシートバック８２を収納した状態でこれらをメインシート６，７と一体に移動させるようにしたが、同様の効果が得られればこのような収納形態に限るものではなく、例えば、メインシートクッション６１，７１の下方にボックス状の収納部を一体に設け、そこにサブシートクッション８１等をそのまま収納するようにしてもよい。なおその場合には、サブシートクッション８１等を前記ボックス状の収納部から自由に出し入れすることができるように、例えばメインシートクッション６１，７１を開閉自在に構成するとよい。
【００５２】
また、本実施形態では、メインシート６，７を、車両前後方向及び車幅方向の両方向にスライド可能に構成したが、特に必要なければ、どちらか一方向のスライド機構は省略してもよい。
【００５３】
また、本実施形態では、サブシートクッション８１及びサブシートバック８２を、回転スライド機構３０，４２等によってガイドしながら収納位置から使用位置へ（又はその逆へ）変位させるように構成したが、このような機構は必ずしも必要ではなく、例えば、サブシートクッション８１及びサブシートバック８２を自由に持ち出すことのできる状態でメインシート６，７の下方に収納し、それらを手で持ち上げることによってメインシート６，７の間に配設するようにしてもよい。逆に、回転スライド機構３０，４２等を、モータや各種歯車等を用いることにより、自動で駆動するように構成してもよい。
【００５４】
また、本実施形態では、サブシートクッション８１を支持するロッド４６及び、サブシートバック８２を支持するロッド３４を、左メインシート７と右メインシート６とにそれぞれ片持ちの状態で支持されるように構成したが、これらロッド３４，４６を、突出状態においてその先端部が反対側のシートに支持される（両持ちの状態で支持される）ように構成することにより、ロッド３４，４６の支持剛性をさらに高めるようにしてもよい。
【００５５】
また、本実施形態では、サブシートクッション８１とサブシートバック８２とをそれぞれ別々にメインシート６，７の下方に収納するようにしたが、可能であれば、これらサブシートクッション８１とサブシートバック８２とをメインシート６，７のうちのいずれか一方にまとめて収納するようにしてもよい。ただし、サブシートクッション８１とサブシートバック８２とをそれぞれ別々にメインシート６，７の下方に収納した方が、メインシート６，７下方の収納空間（座台６３，７３内のスペース）が小さい容積で済むことになるため、メインシート６，７の着座ポイントが高くなることに起因した座り心地の悪化等を抑制することができるという利点がある。しかも、サブシートクッション８１とサブシートバック８２とをこのように右メインシート６と左メインシート７に分けて収納することにより、サブシートバック８２を支持するロッド３４が右メインシート６から延び、サブシートクッション８１を支持するロッド４６が左メインシート７から延びる形となるため、これらロッド３４，４６の両方に支持されるサブシートクッション８１に乗員が着座したときの当該乗員の荷重を、右メインシート６及び左メインシート７のそれぞれに分散して支持させることができる。また、当該メインシート６，７がサブシート８を介して一体に連結されるため、サブシート８の着座性を向上できるという利点もある。
【００５６】
また、本実施形態では、サブシートバック８２をメインシートバック６２，７２にロックするための装置として、ラッチ１０２とピン１０６からなるロック装置１００を用いたが、サブシートバック８２をロックできるものであればこのようなロック装置１００に限らず、各種ロック装置を使用可能である。例えば、サブシートバック８２に向けて突出されるピンをメインシートバック６２，７２に設けるとともに、サブシートバック８２にそのピンが嵌挿される穴を設けることによってロック装置を構成してもよい。また、このサブシートバック８２を支持する前記サブシートバック用回転スライド機構３０にストッパを設ける等によって、サブシートバック８２をロックするようにしてもよい。
【００５７】
また、本実施形態では、メインシートバック６２，７２にアームレスト６２ｂ，ｃ等を設けたが、特に必要なければアームレストは省略してもよい。その場合、サブシートバック８２の背面部に設けた凹部８２ｂは省略することができる。ただし、アームレストを設ける場合でも、例えば、サブシートバック８２の背面部の素材が弾性に富むものであって充分な変形代を有するものであれば、前記凹部８２ｂは省略することができる。
【図面の簡単な説明】
【００５８】
【図１】本発明に係るシート配設構造を備えた車両の室内を示す平面図である。
【図２】前記車両のシート配設構造における中間シート列を示した斜視図であり、（ａ）はサブシート使用状態、（ｂ）はサブシート収納状態を示す。
【図３】前記中間シート列におけるメインシートを示す斜視図である。
【図４】サブシートバックが使用状態と収納状態との間で変位可能な状態で右メインシートに支持される機構を示す図であり、（ａ）はサブシートバックが右メインシートの外側へ引き出された状態、（ｂ）は（ａ）の状態からさらに車両前方へ引っ張られた状態を示している。
【図５】前記サブシートバックの背面部を示した斜視図である。
【図６】前記サブシートバックをメインシートにロックするためのロック装置を示す模式図であり、（ａ）〜（ｃ）はアンロック状態からロック状態へ変位する過程を示している。
【図７】サブシートクッションが使用状態と収納状態との間で変位可能な状態で左メインシートに支持される機構を示す図である。
【図８】（ａ）〜（ｃ）は前記サブシートバックをメインシートバックの間に配設する手順を示す模式図である。
【図９】（ａ）〜（ｄ）は前記サブシートクッションをメインシートクッションの間に配設する手順を示す模式図である。
【図１０】前記サブシート収納状態において一対のメインシートを車幅方向にスライド・接近させた状態を示す斜視図である。
【図１１】前記一対のメインシートを車幅方向にスライド・接近させた状態における車室内の平面図であり、（ａ）（ｂ）はそれぞれシートアレンジの態様を示している。
【符号の説明】
【００５９】
１  前席シート列
２  中間シート列（車両用シート装置）
６  右メインシート
７  左メインシート
６１，７１  メインシートクッション
６２，７２  メインシートバック
８  サブシート
８１  サブシートクッション
８２  サブシートバック
１２  ホイールハウスの張出し部
３０  サブシートバック用回転スライド機構（支持部材）
３６  サブシートバック用スライド機構（支持部材）
４２  サブシートクッション用回転スライド機構（支持部材）
４８  サブシートクッション用スライド機構（支持部材）
【図１】
2007062594.tif 000003
【図２】
2007062594.tif 000004
【図３】
2007062594.tif 000005
【図４】
2007062594.tif 000006
【図５】
2007062594.tif 000007
【図６】
2007062594.tif 000008
【図７】
2007062594.tif 000009
【図８】
2007062594.tif 000010
【図９】
2007062594.tif 000011
【図１０】
2007062594.tif 000012
【図１１】
2007062594.tif 000013